(57)【要約】【課題】シンプルな形状で強度が高くモルタル充填も可能な擁壁用ブロックを提供する。【解決手段】コンクリート製の土留め用の壁部１１と、壁部に対しＬ字状に突き出たコンクリート製の基礎部１２とを有する擁壁用ブロック１０において、壁部と基礎部との接続部分１３であって、内面が、当該擁壁用ブロックが延びた第１の方向にほぼ一様な形状で、傾斜または湾曲した接続部分を設け、基礎部を、接続部分の少なくとも一部を含めて垂直方向に貫通する直径ｄ１が以下の条件を満たす第１の孔２１ａおよび２１ｂと、第１の孔と第１の方向の位置が共通する場所で壁部を水平方向に貫通する直径ｄ２が以下の条件を満たす第２の孔２２ａおよび２２ｂとを設ける。４０ｍｍ＜ｄ１、ｄ２＜２００ｍｍ【選択図】図１
2018204353.tif 000002
【特許請求の範囲】
【請求項１】
コンクリート製の土留め用の壁部と、前記壁部に対しＬ字状に突き出たコンクリート製の基礎部とを有する擁壁用ブロックであって、
前記壁部と前記基礎部との接続部分であって、内面が、当該擁壁用ブロックが延びた第１の方向にほぼ一様な形状で、傾斜または湾曲した接続部分と、
前記基礎部を、前記接続部分の少なくとも一部を含めて垂直方向に貫通する直径ｄ１が以下の条件を満たす第１の孔と、
前記第１の孔と前記第１の方向の位置が共通する場所で前記壁部を水平方向に貫通する直径ｄ２が以下の条件を満たす第２の孔とを有する擁壁用ブロック。
４０ｍｍ＜ｄ１、ｄ２＜２００ｍｍ
【請求項２】
請求項１において、
前記直径ｄ１および前記直径ｄ２が以下の条件を満たす、擁壁用ブロック。
ｄ２＜ｄ１
８０ｍｍ＜ｄ１＜２００ｍｍ
４０ｍｍ＜ｄ２＜１２０ｍｍ
【請求項３】
請求項１または２において、さらに、
前記壁部および前記基礎部にわたり、前記第１の方向と直交する方向に埋設された複数の第１の鉄筋を有し、これら複数の第１の鉄筋のうち、前記第１の孔および前記第２の孔の挟む第１の鉄筋同士の間隔が、他の第１の鉄筋同士の間隔より広い、擁壁用ブロック。
【請求項４】
請求項３において、さらに、
前記複数の第１の鉄筋と前記第１の方向の位置が共通する場所で前記接続部分に、水平方向に対して斜めに配置された複数の第２の鉄筋を有する、擁壁用ブロック。
【請求項５】
請求項１ないし４のいずれかにおいて、
前記第１の孔と前記第２の孔との組み合わせを複数有する、擁壁用ブロック。
【請求項６】
請求項５において、
当該擁壁用ブロックの前記第１の方向の端から、前記第１の方向の長さを四分割した位置に配置された２つの前記組み合わせを有する、擁壁用ブロック。
【請求項７】
請求項１ないし６のいずれかに記載の擁壁用ブロックを複数有する擁壁であって、
前記複数の擁壁用ブロックが、前記第１の方向に隣接して並べられ、前記第１の孔からモルタルが充填されている、擁壁。
【請求項８】
請求項７において、
前記第１の孔に、基礎コンクリートと前記擁壁用ブロックとを接続する配筋が埋設されている、擁壁。
【発明の詳細な説明】
【技術分野】
【０００１】
本発明は、コンクリート製の擁壁用ブロックおよび擁壁に関するものである。
【背景技術】
【０００２】
特許文献１には、コンクリートブロックの設置時に底版と下地間に生コンクリートを隅々まで充填可能な構造と、その敷設工法が開示されている。特許文献１では、ブロックの底版に底版の縁部付近まで開口したコンクリート打設穴を設け、該コンクリート打設穴内は底版配筋が露出又は基礎からのアンカー筋を挿入して打設コンクリートと一体化可能な大きさに設けて打設コンクリートにより底版を形成する。コンクリート打設穴は底版の四方縁部付近まで大きく開口した穴、又は底版の一方の縁部付近から他縁部付近に至る複数の穴であり、底版の厚み方向ほぼ中間から上方が上面に行くにしたがって外縁部に向かう勾配部を設け、又は、底版の厚み方向に底面に行くにしたがって外縁部に向かう勾配部を設けたことを特徴とするものである。
【先行技術文献】
【特許文献】
【０００３】
【特許文献１】特開平７−１３３６１６号公報
【発明の概要】
【発明が解決しようとする課題】
【０００４】
擁壁用ブロックの基礎部分、すなわち、底版にモルタルを注入するための大きな開口を設けると施工は容易になる可能性があるが、基礎部分の強度が低下し、プレハブしたブロックの保管、搬送が難しくなる。また、ブロックの構造が複雑になるので型枠も複雑化して製造コストが増加する。一方、モルタル注入用の孔の直径が小さすぎると、注入に時間を要するなど現場の施工が容易ではなく、モルタル注入用の孔を大きくして補強のためにリブなどを設けるとブロックの構造が複雑になる。
【課題を解決するための手段】
【０００５】
本発明の一態様は、コンクリート製の土留め用の壁部と、壁部に対しＬ字状に突き出たコンクリート製の基礎部とを有する擁壁用ブロックである。この擁壁用ブロックは、壁部と基礎部との接続部分であって、内面が、擁壁用ブロックが延びた第１の方向にほぼ一様な形状で、傾斜または湾曲した接続部分と、基礎部を、接続部分の少なくとも一部を含めて垂直方向に貫通する直径ｄ１が以下の条件（１）を満たす第１の孔と、第１の孔と第１の方向の位置が共通する場所で壁部を水平方向に貫通する直径ｄ２が以下の条件（１）を満たす第２の孔とを有する。
４０ｍｍ＜ｄ１、ｄ２＜２００ｍｍ・・・（１）
条件（１）の下限は５０ｍｍであってもよく、上限は１６０ｍｍであってもよい。また、直径ｄ１および直径ｄ２が以下の条件（２）を満たしてもよい。
ｄ２＜ｄ１
８０ｍｍ＜ｄ１＜２００ｍｍ
４０ｍｍ＜ｄ２＜１２０ｍｍ・・・（２）
直径ｄ２の下限は５０ｍｍであってもよく、上限は１００ｍｍであってもよい。直径ｄ１の下限は１００ｍｍであってもよく、上限は１６０ｍｍであってもよい。
【０００６】
内面が、擁壁用ブロックが延びた第１の方向にほぼ一様な形状で、傾斜または湾曲した肉厚の接続部分を有する擁壁用ブロックにおいて、接続部分の強度は他の基礎部分の強度より高く、この部分に少なくとも一部がかかるように、条件（１）を満たす程度の直径で、モルタルを注入するために十分な大きさの第１の孔を、基礎部を垂直に貫通するように設けることにより基礎部の強度をほとんど低下させることなく、モルタル注入用の孔を設けることができる。したがって、構造が簡易で、低コストで提供でき、また、保管および搬送も容易であって、現場においてモルタル注入も容易な擁壁用ブロックを提供できる。
【０００７】
さらに、第１の孔と第１の方向の位置が共通する場所で壁部を水平方向に貫通する直径ｄ２が上記条件を満たす第２の孔を設けることにより、基礎部および壁部にわたって埋設される鉄筋（主筋）との干渉をさけてこれらの孔を配置できる。本発明の典型的な擁壁用ブロックは、壁部および基礎部にわたり、第１の方向と直交する方向に埋設された複数の第１の鉄筋を有し、これら複数の第１の鉄筋のうち、第１の孔および第２の孔を挟む第１の鉄筋同士の間隔を、他の第１の鉄筋同士の間隔より広げることにより、他の第１の鉄筋同士の間隔を一定に保ち、単位長さ当たりの鉄筋の数を所定の範囲に設定できる。
【０００８】
さらに、擁壁用ブロックは、複数の第１の鉄筋と第１の方向の位置が共通する場所で接続部分に、水平方向に対して斜めに配置された複数の第２の鉄筋（斜筋）が配置されることが多く、このような擁壁用ブロックにおいては、第１の孔を設けることによる強度の低下はさらに抑制される。
【０００９】
また、Ｌ型擁壁の施工において壁面（壁部）の下側に空隙があった場合に、土圧への抵抗力が弱くなってしまう。この擁壁用ブロックにおいては、モルタル注入用の第１の孔が壁部との接続部分、すなわち壁部に近い位置に設けられており、第１の孔から注入されたモルタルで壁部の下の空隙を埋めることが容易になる。
【００１０】
擁壁用ブロックは、第１の孔と第２の孔との組み合わせを複数有していてもよい。擁壁用ブロックの第１の方向の端から、第１の方向の長さを四分割した位置に配置された２つの組み合わせを有していてもよい。例えば、第１の方向（幅方向）の長さが２ｍの擁壁用ブロックにおいては、端から約５０ｃｍの位置にモルタル注入（充填）用の第１の孔を設けてもよく、擁壁を施工する際に、擁壁用ブロックの高さおよび姿勢を調整した後に、両端に設けられた第１の孔からモルタルを注入することにより高さおよび姿勢を固定できる。
【００１１】
また、搬入、搬出の際に、擁壁用ブロックを吊り上げる際も、壁部に近く、重心に近い位置で、擁壁用ブロックの両端に近く、十分な強度を備えた位置の第１の孔を利用して吊具を取り付けできるので、安定した姿勢で安全に搬出搬入が可能となる。
【００１２】
本発明の他の態様の１つは、上記に記載の擁壁用ブロックを複数有する擁壁である。この擁壁は、複数の擁壁用ブロックが、第１の方向に隣接して並べられ、第１の孔からモルタルが充填されている。さらに、第１の孔に、基礎コンクリートと擁壁用ブロックとを接続する配筋が埋設されていてもよく、埋め戻しの際に擁壁用ブロックが動いたり、姿勢が変わったりする事態を未然に防止できる。
【図面の簡単な説明】
【００１３】
【図１】擁壁用ブロックの概要を示す斜視図。
【図２】擁壁用ブロックを内面から見た正面図。
【図３】擁壁用ブロックの断面図。
【図４】擁壁用ブロックの鉄筋の配置を示す断面図。
【図５】擁壁用ブロックの鉄筋の配置を示す平面図。
【図６】他の擁壁用ブロックの例を示す斜視図。
【発明を実施するための形態】
【００１４】
図１に、擁壁用ブロックの一例を斜視図により示している。この擁壁用ブロック１０は、複数の擁壁用ブロック１０を幅方向（第１の方向）Ｘに並べることにより擁壁１を施工することができるものであり、コンクリート製の土留め用の擁壁となる壁部１１と、壁部（垂直部分）１１に対しＬ字状に突き出たコンクリート製で板状の基礎部（底板部、水平部分）１２とを有する、断面がＬ型の擁壁用ブロック（Ｌ型擁壁）１０である。この擁壁用ブロック１０は、壁部１１と基礎部１２との接続部分１３を有し、接続部分１３の内面１３ａが、擁壁用ブロック１０が延びた幅方向（第１の方向）Ｘにほぼ一様な形状で湾曲し、接続部分１３のコンクリートが壁部１１および基礎部１２に対して厚く、強度が高い構造となっている。接続部分１３の内面１３ａは、壁部１１の内面１１ａおよび基礎部１２の内面（上面）１２ａを接続するように滑らかに上側に凹となるように湾曲していてもよく、あるいは一様に傾斜した斜面であってもよい。
【００１５】
図２に、擁壁用ブロック１０を内側から見た様子を示している。擁壁用ブロック１０は、さらに、基礎部１２を、接続部分１３の少なくとも一部を含めて垂直方向に貫通する、モルタル充填用の２つの第１の孔２１ａおよび２１ｂと、第１の孔２１ａおよび２１ｂと幅方向Ｘの位置Ｐ１およびＰ２がそれぞれ共通する場所で壁部１１を水平方向に貫通する２つの水抜き用の第２の孔２２ａおよび２２ｂとを有する。モルタル充填用の第１の孔２１ａと水抜き用の第２の孔２２ａとの組み合わせは、擁壁用ブロック１０の幅方向Ｘの位置Ｐ１の垂直方向に同じ位置に配置されており、モルタル充填用の第１の孔２１ｂと水抜き用の第２の孔２２ｂとの組み合わせは、擁壁用ブロック１０の幅方向Ｘの位置Ｐ２の垂直方向に同じ位置に配置されている。
【００１６】
具体的には、この擁壁用ブロック１０は、壁部１１の幅Ｗおよび高さＨが２ｍであり、幅方向の位置Ｐ１およびＰ２は、擁壁用ブロックＷの幅方向Ｘの端から、幅方向Ｘの長さ２ｍを四分割した位置、すなわち、５０ｃｍの位置に設定されている。なお、本例の擁壁用ブロック１０の基礎部１２の幅は壁部１１の幅Ｗより若干狭く、例えば数ｃｍから数１０ｃｍ程度狭くなっているが、同じ幅であってもよい。モルタル充填用の第１の孔２１ａおよび２１ｂの直径ｄ１の一例は１２５ｍｍであり、水抜き用の第２の孔２２ａおよび２２ｂの直径ｄ２の一例は７５ｍｍである。直径ｄ１およびｄ２は上述した条件（１）および（２）の範囲に設定することが可能である。
【００１７】
図３に、擁壁用ブロック１０の第１の孔２１ａおよび第２の孔２２ａの部分を内面に垂直な縦方向の断面図（図２のＩＩＩ−ＩＩＩ断面）を示し、図４に、擁壁用ブロック１０に埋設された鉄筋の配置を縦方向の断面（図２のＩＶ−ＩＶ断面）で示し、図５（ａ）および図５（ｂ）に、擁壁用ブロック１０に埋設された鉄筋の配置を壁部１１および基礎部１２の平面図を用いて、すかした状態で示している。また、図３には、擁壁用ブロック１０を用いて擁壁１を施工した状態を、一点鎖線などにより示している。
【００１８】
この擁壁用ブロック１０は、段差のある土地２および土地３との間の境界４に、土留めとして機能する擁壁１を施工するためのものである。擁壁１を施工するために、境界４に砕石基礎５と、ベースコンクリート６とを施工し、ベースコンクリート６の上に、複数の擁壁用ブロック１０を幅方向Ｘに連なるように配置する。複数の擁壁用ブロック１０は、ベースコンクリート６の上に仮据え付けし、それぞれの擁壁用ブロック１０の高さおよび姿勢をパッキンなどで調整した後、基礎部１２に設けられたモルタル充填用の第１の孔２１ａからモルタル７を注入し、基礎部１２とベースコンクリート６との隙間を埋める。さらに、土地２および土地３の土砂を埋め戻して擁壁１が施工される。
【００１９】
図４および図５に示すように、擁壁用ブロック１０は、壁部１１および基礎部１２にわたり、幅方向Ｘと直交する方向（垂直水平方向）Ｙに所定の間隔で埋設された、Ｌ字型の複数の主筋（第１の鉄筋）３１と、壁部１１および基礎部１２のそれぞれに幅方向Ｘと平行に所定の間隔で配置された複数の横筋３３と、コンクリートの厚みが増された接続部分１３の内面１３ａに沿って、水平方向に対して斜めに配置された複数の斜筋（第２の鉄筋）３５と、接続部分１３の外面１３ｂに沿ってＬ字型に配置された複数の補助筋３７とを含む。複数の斜筋３５は複数の主筋３１のそれぞれに対応した位置に配置され、主筋３１と接続されて土圧に対する抵抗力を増大する機能を果たす。補助筋３７は、すべての主筋３１と対応するように配置してもよいが、この擁壁用ブロック１０においては、両端の主筋３１と内側の幾つかの主筋３１に沿って配置している。
【００２０】
基礎部１２に設けられた第１の孔２１ａおよび２１ｂは、幅方向Ｘでは、主筋３１および斜筋３５の間のそれらの鉄筋３１および３５を切断しない位置で、さらに、直交する方向Ｙでは、接続部分１３に配置された斜筋３５と一部が重複する位置に配置されている。壁部１１に設けられた第２の孔２２ａおよび２２ｂは、第１の孔２１ａおよび２１ｂに対し幅方向Ｘの位置Ｐ１およびＰ２が共通する位置に設けられている。このため、第１の孔２１ａおよび２１ｂの両側に位置する主筋３１の間に、これら第２の孔２２ａおよび２２ｂは配置され、第２の孔２２ａおよび２２ｂにより主筋３１が切断されることはなく、すべての主筋３１で基礎部１２および壁部１１を一体で接続できる。
【００２１】
第１の孔２１ａおよび２１ｂは、壁部１１および基礎部１２を接続する部分であって、内面１３ａが斜めまたは湾曲してコンクリートの厚みが厚くなった接続部分１３に少なくとも一部がかかるように形成されている。この接続部分１３には、主筋３１および横筋３３に加え、斜筋３５が配置されており、擁壁用ブロック１０の中で、最も強度が高い部分である。このため、ある程度の大きさの孔を開けても、擁壁用ブロック１０として要求されている強度を損なうことがなく、開口付きでありながら、運搬、保管において取り扱いが容易な擁壁用ブロック１０を提供できる。さらに、開口（貫通孔）がある擁壁用ブロック１０でありながらリブを設けたりして補強する必要がなく、シンプルな形状で、低コストで製造できる擁壁用ブロック１０を提供できる。
【００２２】
また、強度を損なわずに接続部分１３に開けることができる孔（第１の孔）２１ａおよび２１ｂの直径ｄ１は、以下の条件（２ａ）を満たす範囲でよく、モルタルをスムーズに注入でき、また、充填の際の空気抜きや、アンカー８の設定にも十分なサイズにすることができる。
８０ｍｍ＜ｄ１＜２００ｍｍ・・・（２ａ）
【００２３】
壁部１１に設けられる水抜き用の孔２２ａおよび２２ｂの直径ｄ２は、モルタル充填用の孔２１ａおよび２１ｂの直径よりも小さくてよく、例えば、以下の条件（２ｂ）を満足するものであってもよい。
ｄ２＜ｄ１
４０ｍｍ＜ｄ２＜１２０ｍｍ・・・（２ｂ）
したがって、第１の孔２１ａおよび２１ｂの両側に位置する主筋３１の間であれば、主筋３１と干渉することなく第２の孔２２ａおよび２２ｂを配置することが可能である。壁部１１の高さ（垂直方向の長さ）が長くなれば、複数の水抜き孔を主筋３１に沿った同じ位置Ｐ１およびＰ２のそれぞれに設けることも可能である。
【００２４】
さらに、擁壁用ブロック１０においては、複数の主筋（第１の鉄筋）３１のうち、第１の孔２１ａおよび２１ｂを挟む、すなわち、第１の孔２１ａおよび２１ｂの両側に位置する第１の主筋３１ａ同士の間隔ｗｓ１を、他の第１の主筋３１ｂ同士の間隔ｗｓ２より広く設定している。例えば、それぞれの間隔ｗｓ１およびｗｓ２は以下の条件（３）を満足するものである。
ｄ１＋２０ｍｍ≦ｗｓ１
１００ｍｍ＜ｗｓ１＜２２０ｍｍ
６０ｍｍ＜ｗｓ２＜１５０ｍｍ・・・（３）
【００２５】
第１の孔２１ａおよび２１ｂ、および第２の孔２２ａおよび２２ｂを挟む第１の鉄筋同士の間隔ｗｓ１を、他の第１の鉄筋同士の間隔ｗｓ２より広げることにより、第１の孔２１ａおよび２１ｂの開口面積を確保できるとともに、他の第１の鉄筋同士の間隔ｗｓ２を間隔ｗｓ１より狭くして、単位長さ当たりの鉄筋の数を所定の範囲に設定する程度の幅にすることができる。
【００２６】
図３に示した擁壁１を施工する点からみると、この擁壁用ブロック１０においては、モルタル充填用の第１の孔２１ａが、壁部１１に近い接続部分１３を上下に（垂直方向に）貫通するように設けられている。壁部１１の下側に空隙があると、Ｌ字型に組み合わされた基礎部１２と壁部１１との支点がずれ、土圧に対する抵抗力が低下しやすい。この擁壁用ブロック１０においては、壁部１１に近い位置で第１の孔２１ａを介してモルタル７を充填できる。したがって、壁部１１の下側に十分な量のモルタル７を確実に充填することが可能となり、所定の強度を備えた擁壁１を施工しやすい。また、第１の孔２１ａおよび２１ｂが、擁壁用ブロック１０の端から全幅Ｗの１／４程度の位置に配置されており、高さ調整を行ったパッキンなどを含めて、基礎部１２の両側にモルタル７を十分に、確実に充填しやすい。このため、埋め戻しの際に擁壁用ブロック１０が土圧により高さが変わったり、傾いたりすることを予防できる。
【００２７】
モルタル７を充填する前に、第１の孔２１ａに、ベースコンクリート６との接続を強化するアンカーボルト（配筋）８を設置して、モルタル７を充填してもよい。アンカーボルト８はベースコンクリート６に埋設しておいてもよく、箱抜きでアンカーボルト８を設置してもよく、アンカーボルト８はエクスパンションアンカーであってもよい。第１の孔２１ａは基礎部１２の壁部１１に近い接続部分１３に設けられており、第１の孔２１ａにアンカー８を配置して基礎となるベースコンクリート６に固定することにより埋め戻しの際の土圧に対する抵抗力が増す。したがって、埋め戻しの際に擁壁用ブロック１０の位置がずれたりするトラブルを防止でき、施工後の強度も高い擁壁１を提供できる。
【００２８】
第１の孔２１ａおよび２１ｂは、基礎部１２と壁部１１との境界に近い、接続部分１３に配置される。Ｌ型の擁壁用ブロック１０を吊り下げて運搬（搬入、搬出）する際の重心は、壁部１１に近い接続部分１３になる。したがって、第１の孔２１ａおよび２１ｂは擁壁用ブロック１０の重心に非常に近く、壁部１１が下側に向いた状態で吊り下げるのであれば、第１の孔２１ａおよび２１ｂにロープを通したり、吊り具を取り付けることにより安定して搬入・搬出できる。現場に設置する場合も、第１の孔２１ａおよび２１ｂに吊り具をつけ、第２の孔２２ａおよび２２ｂなどを使って壁部１１を適当な方法で支持することにより、容易に、また安全に擁壁用ブロック１０を所定の姿勢で、所定の位置に設置することができる。
【００２９】
擁壁１の内側の土地２の土砂を埋め戻す際は、水抜き用の第２の孔２２ａの下側に止水用のコンクリート９を施工し、その上に粒径の大きな吸出し防止材９ａと、透水性の砕石層９ｂとを壁部１１の内面１１ａに沿って設けてもよい。
【００３０】
図６に、擁壁用ブロック１０の異なる例を示している。この擁壁用ブロック１０は壁部１１の先端（上端）１１ｃに、ガードレールまたは塀の支柱や街路灯用のポールを設置するための支柱基礎部１５が設けられている。支柱基礎部１５には支柱を差し込んで固定するためのアンカーホール１６が設けられており、擁壁１を施工することにより、併せてガードレールなどを施工する基礎を施工することができる。この擁壁用ブロック１０においても、壁部１１と基礎部１２とを接続する接続部分１３にかかるようにモルタル充填用の第１の孔２１ａおよび２１ｂが設けられており、それら第１の孔２１ａおよび２１ｂと垂直方向に直線的に並べられた位置に水抜き穴である第２の孔２２ａおよび２２ｂとが配置されている。したがって、この擁壁用ブロック１０も、モルタル充填用の開口を備えており、形状がシンプルで製造が容易であり、かつ強度も十分に確保されている擁壁用ブロック１０である。
【００３１】
上記の例では、モルタル充填用の第１の孔と水抜き用の第２の孔との組み合わせ（列）を２つ備えた擁壁用ブロックを例に説明しているが、モルタル充填用の第１の孔と水抜き用の第２の孔との組み合わせは１つ、すなわち１列であってもよく、３つ以上、すなわち３列以上であってもよい。例えば、擁壁用ブロックの幅Ｗが１ｍ程度であると、モルタル充填用の第１の孔と水抜き用の第２の孔との組み合わせは１つであってもよく、幅Ｗが３ｍ程度あるいはそれを超えると、モルタル充填用の第１の孔と水抜き用の第２の孔との組み合わせは３つ以上であってもよい。さらに、壁部１１が高い場合は、１つの列に複数の水抜き用の第２の孔を配置してもよい。また、基礎部１２が壁部１１と直交する水平方向（Ｙ方向）に長い場合、または、基礎部の強度が確保される場合は、基礎部１２に接続部分１３に設けられた第１の孔と列をなすようにさらに１または複数のモルタル充填用の孔を設けてもよい。
【符号の説明】
【００３２】
１  擁壁、  １０  擁壁用ブロック
１１  壁部、  １２  基礎部、  １３  接続部
【図１】
2018204353.tif 000003
【図２】
2018204353.tif 000004
【図３】
2018204353.tif 000005
【図４】
2018204353.tif 000006
【図５】
2018204353.tif 000007
【図６】
2018204353.tif 000008